(57)【要約】【課題】平坦でない壁面に対して安定した吸着力を得やすい、壁面吸着装置を提供する。【解決手段】本発明に係る壁面吸着装置１は、壁面２と対向する凹部空間３を区画する、隔壁４と、凹部空間３の空気を連続して吸引することが可能な、吸引部５と、凹部空間３の周縁部において隔壁４に全周に亘って連続的又は間欠的に配置されると共に凹部空間３の周縁部の外側に向かって延在し、可撓性を有する、スカート８とを備えることを特徴とする。【選択図】図４
2018131165.tif 000002
【特許請求の範囲】
【請求項１】
壁面に吸着可能な壁面吸着装置であって、
前記壁面と対向する凹部空間を区画する、隔壁と、
前記凹部空間の空気を連続して吸引することが可能な、吸引部と、
前記凹部空間の周縁部において前記隔壁に全周に亘って連続的又は間欠的に配置されると共に前記凹部空間の周縁部の外側に向かって延在し、可撓性を有する、スカートと
を備えることを特徴とする、壁面吸着装置。
【請求項２】
前記凹部空間の周縁部において前記隔壁に全周に亘って連続的又は間欠的に配置された、ブラシをさらに備える、請求項１に記載の壁面吸着装置。
【請求項３】
前記隔壁に全周に亘って連続的又は間欠的に配置された、摩擦調整部材をさらに備える、請求項１又は２に記載の壁面吸着装置。
【請求項４】
前記摩擦調整部材は、ゴム部材、スポンジゴム部材及びボール軸受のうちの少なくとも１種類を含む、請求項３に記載の壁面吸着装置。
【請求項５】
前記凹部空間の周縁部において前記隔壁に全周に亘って連続的又は間欠的に配置された、ブラシと、
前記隔壁に全周に亘って連続的又は間欠的に配置された、摩擦調整部材とをさらに備え、
前記ブラシ及び／又は前記摩擦調整部材は、前記壁面に対して近接及び離間する方向に移動可能とされた、請求項１〜４のいずれか一項に記載の壁面吸着装置。
【請求項６】
前記凹部空間の内部圧力又は前記壁面の凹凸部若しくは段差部を検知する、検知手段をさらに備え、
前記検知手段の検知結果に応じて、前記壁面に対する吸着力を変化させることが可能とされた、請求項１〜５のいずれか一項に記載の壁面吸着装置。
【請求項７】
前記検知手段は、前記スカートにおける前記壁面と対向する部分に、全周に亘って連続的又は間欠的に配置されている、請求項６に記載の壁面吸着装置。
【請求項８】
請求項１〜７のいずれか一項に記載の壁面吸着装置を備えることを特徴とする、壁面移動装置。
【請求項９】
前記壁面吸着装置に設けられた走行手段をさらに備える、請求項８に記載の壁面移動装置。
【発明の詳細な説明】
【技術分野】
【０００１】
本発明は、壁面吸着装置及び壁面移動装置に関する。
【背景技術】
【０００２】
垂直壁、傾斜壁、天井又は床などの壁面に吸着可能な、壁面吸着装置が知られている。壁面吸着装置は、壁面と対向する凹部空間を区画する、隔壁と、凹部空間の空気を連続して吸引することが可能な、吸引部とを備えることがある（例えば、特許文献１参照）。
【先行技術文献】
【特許文献】
【０００３】
【特許文献１】特開２０１３−１５９２４３号公報
【発明の概要】
【発明が解決しようとする課題】
【０００４】
特許文献１に記載されるような従来の壁面吸着装置は、壁面が例えば湾曲している等平坦でない場合に、吸着力を得にくい場合があった。
【０００５】
本発明は、このような点に鑑みなされたもので、平坦でない壁面に対して安定した吸着力を得やすい、壁面吸着装置を提供することを目的とする。また、本発明は、そのような壁面吸着装置によって平坦でない壁面上を安定して移動しやすい、壁面移動装置を提供することを目的とする。
【課題を解決するための手段】
【０００６】
本発明に係る壁面吸着装置は、
壁面に吸着可能な壁面吸着装置であって、
前記壁面と対向する凹部空間を区画する、隔壁と、
前記凹部空間の空気を連続して吸引することが可能な、吸引部と、
前記凹部空間の周縁部において前記隔壁に全周に亘って連続的又は間欠的に配置されると共に前記凹部空間の周縁部の外側に向かって延在し、可撓性を有する、スカートと
を備えることを特徴とする。
【０００７】
また、本発明に係る壁面吸着装置は、前記凹部空間の周縁部において前記隔壁又はスカートに全周に亘って連続的又は間欠的に配置された、ブラシをさらに備えることが好ましい。
【０００８】
また、本発明に係る壁面吸着装置は、前記隔壁又はスカートに全周に亘って連続的又は間欠的に配置された、摩擦調整部材をさらに備えることが好ましい。
【０００９】
また、本発明に係る壁面吸着装置では、前記摩擦調整部材は、ゴム部材、スポンジゴム部材及びボール軸受のうちの少なくとも１種類を含むことが好ましい。
【００１０】
また、本発明に係る壁面吸着装置では、
前記凹部空間の周縁部において前記隔壁に全周に亘って連続的又は間欠的に配置された、ブラシと、
前記隔壁に全周に亘って連続的又は間欠的に配置された、摩擦調整部材とをさらに備え、
前記ブラシ及び／又は前記摩擦調整部材は、前記壁面に対して近接及び離間する方向に移動可能とされていることが好ましい。
【００１１】
また、本発明に係る壁面吸着装置は、
前記凹部空間の内部圧力又は前記壁面の凹凸部若しくは段差部を検知する、検知手段をさらに備え、
前記検知手段の検知結果に応じて、前記壁面に対する吸着力を変化させることが可能とされていることが好ましい。
【００１２】
さらに、本発明に係る壁面吸着装置では、前記検知手段は、前記スカートにおける前記壁面と対向する部分に、全周に亘って連続的又は間欠的に配置されていることが好ましい。
【００１３】
本発明に係る壁面移動装置は、本発明に係る壁面吸着装置を備えることを特徴とする。
【００１４】
また、本発明に係る壁面移動装置は、前記壁面吸着装置に設けられた走行手段をさらに備えることが好ましい。
【発明の効果】
【００１５】
本発明によれば、平坦でない壁面に対して安定した吸着力を得やすい、壁面吸着装置を提供することができる。また、本発明によれば、そのような壁面吸着装置によって平坦でない壁面上を安定して移動しやすい、壁面移動装置を提供することができる。
【図面の簡単な説明】
【００１６】
【図１】本発明の一実施形態に係る壁面吸着装置及び壁面移動装置を模式的に示す上面図である。
【図２】図１に示す壁面吸着装置及び壁面移動装置の底面図である。
【図３】図１のＡ−Ａに沿う一部断面側面図である。
【図４】図１に示す壁面吸着装置及び壁面移動装置が凸状に湾曲した壁面に吸着した状態を、図３に準じて示す一部断面側面図である。
【図５】図１に示す壁面吸着装置及び壁面移動装置が凹状に湾曲した壁面に吸着した状態を、図３に準じて示す一部断面側面図である。
【発明を実施するための形態】
【００１７】
以下、図面を参照して、本発明の一実施形態に係る壁面吸着装置及び壁面移動装置について、詳細に例示説明する。なお、本明細書において、「壁面」とは、建造物の壁に限らず任意の物体の面（被吸着面）であってよく、その全体としての傾斜角度も垂直に限定されず、水平も含めた任意の傾斜角度であってよい。すなわち、壁面は、例えば垂直壁、傾斜壁、天井又は床などであってよい。また、本明細書において、壁面吸着装置の「上面」とは、該壁面吸着装置を壁面に吸着させたときに見える面を意味する。
【００１８】
図４、図５に示すように、本実施形態に係る壁面吸着装置１は、壁面２に吸着可能に構成されている。本実施形態に係る壁面吸着装置１は、図１〜図３に示すように、壁面２と対向する凹部空間３を区画する、隔壁４と、凹部空間３の空気を連続して吸引することが可能な、吸引部５とを備えている。また、本実施形態に係る壁面移動装置６は、壁面吸着装置１を備え、壁面２上を移動可能に構成されている。本例では、壁面移動装置６は、壁面吸着装置１に設けられた走行手段７をさらに備えている。
【００１９】
本例では、隔壁４は、壁面吸着装置１の中心軸線Ｏを中心とする上面視円形状をなす外形を有する、天壁４ａと、天壁４ａの外周縁に全周に亘って連続的に設けられると共に壁面２に向けて延びる、周壁４ｂとを有している。本例では、周壁４ｂは、天壁４ａの外周縁から壁面２に向けて天壁４ａと垂直に延びており、その周方向で一定となる高さを有している。天壁４ａは、例えば平面視略矩形状でもよく、隔壁４の形状は適宜変更が可能である。また、隔壁４は、例えば合成樹脂部材及び／又は金属部材などで構成することができ、壁面吸着装置１を壁面２に吸着させるのに必要な凹部空間３の負圧状態（負の内部圧力）を維持できる剛性を有していればよい。
【００２０】
図１〜図３に示すように、壁面吸着装置１は、凹部空間３の周縁部において隔壁４に全周に亘って連続的に配置されると共に凹部空間３の周縁部の外側（本例では径方向外側）に向かって延在し、可撓性を有する、スカート８を備えている。なお、スカート８は、凹部空間３の周縁部において隔壁４に全周に亘って連続的に配置することが好ましいが、凹部空間３の周縁部において隔壁４に全周に亘って間欠的に配置してもよい。また、本例では、スカート８は、隔壁４の周壁４ｂの外周面に配置されているが、例えば、周壁４ｂの内周面に配置してもよいし、天壁４ａの上面に配置してもよい。さらに、スカート８は、隔壁４に直接連結して配置してもよいし、間接的に連結して配置してもよい。例えば、後述するブラシ９及び／又は摩擦調整部材１０が周壁４ｂの外周面に全周に亘って連続的に配置されている場合等には、スカート８は、周壁４ｂの外周面に直接連結して配置するのではなく、周壁４ｂ（の外周面）に配置されたブラシ９及び／又は摩擦調整部材１０の外周面に、すなわち、周壁４ｂ（の外周面）に間接的に連結して配置してもよい。スカート８は、例えばゴム及び／又は軟質の合成樹脂などで構成することができ、図４、図５に示すように、例えば壁面２が湾曲している場合に、隔壁４から径方向外側に延在する部分が壁面２にほぼ沿って湾曲等できる可撓性を有していればよい。スカート８によれば、凹部空間３の周縁部において隔壁４と壁面２との間に形成される隙間Ｇを通じた空気の流れを抑制することができる。したがって、壁面吸着装置１によれば、壁面２が例えば湾曲している場合や凹凸部又は段差部を有している場合などのような、平坦でない壁面２に対して、安定した吸着力を容易に得ることができる。
【００２１】
また、本例では、壁面吸着装置１は、図２、図３に示すように、凹部空間３の周縁部において隔壁４に全周に亘って連続的に配置された、ブラシ９をさらに備えている。本例では、ブラシ９は、壁面２に向けて延びる多数の毛状体（例えば合成樹脂製又は天然の毛など）で構成することができ、壁面２が例えば微小な凹凸部（図４、図５参照）又は段差部（図示省略）を有している場合に、前記凹凸部又は段差部に追従するように変形することで、前述した隔壁４と壁面２との隙間Ｇを通じた空気の流れを抑制できる柔軟性を有していればよい。また、ブラシ９は、凹部空間３の周縁部において隔壁４に全周に亘って連続的に配置することが好ましいが、凹部空間３の周縁部において隔壁４に全周に亘って間欠的に配置してもよい。さらに、ブラシ９は、本例では、隔壁４に後述する移動手段を介して間接的に連結して配置されているが、そのような移動手段を介さずに隔壁４に直接連結して配置してもよい。本例ではブラシ９は、隔壁４の周壁４ｂの内周面に配置されているが、例えば、周壁４ｂの外周面に配置してもよい。また、例えばブラシ９をスカート８に配置することで、ブラシ９を隔壁４にスカート８を介して間接的に連結して配置してもよい。このように、ブラシ９は隔壁４に直接的又は間接的に連結して配置することができる。なお、ブラシ９を設けない構成としてもよい。ブラシ９は、壁面２に段差部、特には隙間や溝による大きな段差部がある場合に、隔壁４と壁面２との間の隙間Ｇを通じた空気の流れを抑制するのに、特に有効に機能する。
【００２２】
ブラシ９は、本例では、図４、図５において二点鎖線矢印で示すように、壁面２に対して近接及び離間する方向に移動可能とされている。具体的には、ブラシ９は、図示しない移動手段を介して隔壁４に連結されており、当該移動手段によって、壁面２に対して近接する方向に移動することで壁面２と接触する一方、壁面２に対して離間する方向に移動することで壁面２から離脱することができる。このように、本例では、ブラシ９を必要なときだけ使用できるようになっている。なお、本例では、ブラシ９は、図２に示すように、周方向に複数個（本例では９個）に分割され、個々に壁面２に対して近接及び離間する方向に移動可能とされている。このようにブラシ９を複数個に分割することで、壁面２が例えば湾曲している場合の、壁面２への追従性を向上させている。なお、ブラシ９は、このような分割を必須とするものではなく、環状をなす１個の部材で構成してもよい。
【００２３】
また、本例では、壁面吸着装置１は、図２、図３に示すように、隔壁４に全周に亘って間欠的に配置された、摩擦調整部材１０をさらに備えている。なお、摩擦調整部材１０は、隔壁４に全周に亘って連続的に配置してもよい。本例では、摩擦調整部材１０は、ボール軸受で構成されている。摩擦調整部材１０は、壁面２との摩擦力を調整できれば、このようなボール軸受に限られず、例えば、ゴム部材、スポンジゴム部材及びボール軸受のうちの少なくとも１種類を含むものとすることができる。ゴム部材又はスポンジゴム部材等の壁面２に対して大きい摩擦力を有する摩擦調整部材１０を用いることで、壁面吸着装置１を壁面２に対して動き難くすることができ、また、ボール軸受等の壁面２に対して小さい摩擦力を有する摩擦調整部材１０を用いることで、壁面吸着装置１を壁面２に対してスムーズに動けるようにすることができる。本例では、摩擦調整部材１０としてのボール軸受を隔壁４に全周に亘って配置しているが、例えば、当該ボール軸受の径方向内側に、ゴム部材を隔壁４に全周に亘って配置し、さらに当該ゴム部材の径方向内側に、スポンジゴム部材を隔壁４に全周に亘って配置してもよい。また、ゴム部材、スポンジゴム部材及びボール軸受を周方向に交互に配置してもよい。さらに、摩擦調整部材１０は、本例では、隔壁４の天壁４ａに後述する移動手段を介して間接的に連結して配置されているが、そのような移動手段を介さずに隔壁４の天壁４ａに直接連結して配置してもよい。本例では摩擦調整部材１０は、隔壁４の周壁４ｂの径方向内側に配置されているが、例えば、周壁４ｂの径方向外側に配置してもよい。例えば摩擦調整部材１０をスカート８に配置することで、摩擦調整部材１０を隔壁４にスカート８を介して間接的に連結して配置してもよい。このように、摩擦調整部材１０は隔壁４に直接的又は間接的に連結して配置することができる。なお、摩擦調整部材１０を設けない構成としてもよい。摩擦調整部材１０は、特に壁面吸着装置１で壁面移動装置６を構成する場合に、壁面２の材質、形状及び／又は傾斜角度等に応じた摩擦力の適正化を図るのに、特に有効に機能する。
【００２４】
摩擦調整部材１０は、本例では、図４、図５において二点鎖線矢印で示すように、壁面２に対して近接及び離間する方向に移動可能とされている。具体的には、摩擦調整部材１０は、図示しない移動手段を介して隔壁４の天壁４ａに連結されており、当該移動手段によって、壁面２に対して近接する方向に移動することで壁面２と接触する一方、壁面２に対して離間する方向に移動することで壁面２から離脱することができる。このように、本例では、摩擦調整部材１０を必要なときだけ使用できるようになっている。なお、本例では、摩擦調整部材１０は、図２に示すように、周方向に複数個（本例では９個）に分割され、個々に壁面２に対して近接及び離間する方向に移動可能とされている。このように摩擦調整部材１０を複数個に分割することで、壁面２が例えば湾曲している場合の、壁面２への追従性を向上させている。なお、摩擦調整部材１０は、このような分割を必須とするものではなく、環状をなす１個の部材で構成してもよい。
【００２５】
なお、スカート８、ブラシ９、摩擦調整部材１０は、いずれか少なくとも２つを周方向に交互に配置してもよい。
【００２６】
吸引部５は、例えば遠心ファンで構成することができる。吸引部５は、本例では、隔壁４の外側（天壁４ａの外側面）に設けられているが、隔壁４の内側（天壁４ａの内側面）に設けてもよく、その配置は適宜変更が可能である。本例では、吸引部５は、天壁４ａに設けられた排気口４ｃを通じて、凹部空間３の空気を連続して排出するように構成されている。なお、本例では排気口４ｃは天壁４ａの中央（中心軸線Ｏ）を中心とし、円形をなしているが、その形状及び配置は適宜変更が可能である。このように、吸引部５によって凹部空間３内の空気を連続して吸引することにより、凹部空間３の負圧状態を維持し、壁面２への吸着力を維持することができる。
【００２７】
本例では、走行手段７は、３方向に配置されたオムニホイール１１で構成されており、それにより、壁面２に沿う全方向への移動が可能とされている。これら３つの走行手段７は、それぞれ、図示しないモータによって駆動軸線Ｘを中心に回転駆動されるようになっている。３つの駆動軸線Ｘは、図２に示すように、底面から視たときに、周方向に１２０°ずつ、ずらして配置されている。また、本例では、走行手段７は、図３〜図５に示すように、走行手段７の接地面が、隔壁４の径方向内側に向かうに従い壁面２から離れるように、傾くに従って壁面２から離れる方向に移動（図４参照）する一方、走行手段７の接地面が、隔壁４の径方向外側に向かうに従い壁面２から離れるように、傾くに従って壁面２に接近する方向に移動（図５参照）するように、リンクを介して隔壁４の天壁４ａに連結されている。したがって、図４に示すように壁面２が凸状に湾曲している場合には、当該湾曲に起因する、壁面２と隔壁４の周壁４ｂとの隙間Ｇの増大を抑制でき、また、図５に示すように壁面２が凹状に湾曲している場合には、当該湾曲に起因する、壁面２への隔壁４の周壁４ｂの引っ掛かりの発生を抑制できる。なお、走行手段７は、このようなリンクを介して隔壁４に連結した構成に限定されない。
【００２８】
走行手段７としては、オムニホイール１１に代えて、例えばメカナムホイールなどを用いてもよい。また、好ましくは全方向移動が可能な範囲で、走行手段７の数や配置を適宜変更してもよい。さらに、走行手段７は、全方向移動を可能とするものに限られず、例えば、４輪自動車のように、操舵可能な車輪を含むものであってもよいし、クローラなどであってもよい。また、走行手段７は、走行面（壁面２）の凹凸部又は段差部に追従するよう、例えばスポンジなどの弾性体で構成してもよい。また、走行手段７は、隔壁４の内側に設けられていてもよいし、隔壁４の外側に設けられていてもよい。また、走行手段７は、隔壁４の周壁４ｂにできるだけ近づけて配置することが望ましい。このような配置により、隔壁４の周壁４ｂを、壁面２の凹凸部や段差部に引っ掛かりにくくすることができる。なお、走行手段７は、壁面吸着装置１に連結され、例えば、壁面吸着装置１を牽引可能なものであってもよい。
【００２９】
また、壁面移動装置６は、走行手段７を有していなくてもよい。例えば、壁面移動装置６は、複数の壁面吸着装置１を備え、当該複数の壁面吸着装置１は、列（例えば一文字状の列又は十文字状の列など）をなすように又は環状に連結されており、各壁面吸着装置１の壁面２に対する吸着力又は摩擦力と、壁面吸着装置１同士の間の間隔とを変化させることによって、移動することが可能に構成されていてもよい。この場合、例えば、壁面吸着装置１同士を伸縮動作可能な伸縮手段によって連結し、当該伸縮手段によって壁面吸着装置１同士の間の間隔を変化させる構成とすることができる。また、各壁面吸着装置１の壁面２に対する吸着力は、例えば吸引部５の吸引力（例えば遠心ファンの出力）を調整することで変化させることができる。また、各壁面吸着装置１の壁面２に対する摩擦力は、例えば、前述したように摩擦調整部材１０を移動手段によって壁面２に対して近接及び離間する方向に移動させることにより、変化させることができる。
【００３０】
このように複数の壁面吸着装置１で構成した壁面移動装置（図示省略）は、例えば、以下の要領で移動させることができる。まず、或る壁面吸着装置１について、吸着力又は摩擦力を低減させると共に後方側の伸縮手段を伸長させることにより前進させた後に、吸着力又は摩擦力を増加させることにより停止させると共に後方側の伸縮手段を収縮させるという周期で作動させるものとし、例えばすべての伸縮手段が収縮した状態から、進行方向最前方の壁面吸着装置１から進行方向最後方の壁面吸着装置１にかけて（複数の壁面吸着装置１を環状に連結している場合には右回りと左回りの両方に）、位相を適宜（例えば１／２周期）遅らせながら作動させることで、壁面移動装置を前進させることができる。なお、複数の壁面吸着装置１で構成した壁面移動装置は、隣接するスカート８が互いに連結した構成（複数の壁面吸着装置１を環状に連結している場合にはスカート８を環状に連結した構成）としてもよい。
【００３１】
また、壁面吸着装置１は、凹部空間３の内部圧力又は壁面２の凹凸部若しくは段差部を検知する、検知手段（図示省略）をさらに備え、当該検知手段の検知結果に応じて、壁面２に対する吸着力を変化させることが可能とされていてもよい。このような検知手段は、隔壁４における凹部空間３に面した部分、又はスカート８に配置（例えば、スカート８における壁面２と対向する部分、すなわちスカート８の下部に、全周に亘って連続的又は間欠的に配置）することが好ましいが、その他の部分に配置してもよい。前記検知手段は、接触式、非接触式のいずれでもよく、圧力センサ（大気圧センサなど）、変位センサ（触針式、レーザー式など）、画像センサ（カメラ）など、任意の形式のものを用いることができる。なお、凹部空間３の内部圧力を検知する場合には、例えば、隔壁４における凹部空間３に面した部分に圧力センサを配置してもよいし、凹部空間３に連通する別室を設け、当該別室に圧力センサを配置してもよいし、スカート８の下部に圧力センサを配置してもよい。
【００３２】
単一の壁面吸着装置１で構成される壁面移動装置６は、例えば、当該壁面吸着装置１の凹部空間３の内部圧力を前記検知手段で検知し、当該内部圧力が低下しすぎたときに、当該壁面吸着装置１の壁面２に対する吸着力を増加させるように構成することができる。また、前述したように複数の壁面吸着装置１で壁面移動装置を構成した場合には、壁面移動装置は、当該複数の壁面吸着装置１のうちの少なくとも１つが、前記検知手段をさらに備え、当該検知手段の検知結果に応じて、壁面２に対する当該複数の壁面吸着装置１のうちのいずれか少なくとも１つの吸着力を変化させることが可能とされていてもよい。例えば、或る壁面吸着装置１の凹部空間３の内部圧力を前記検知手段で検知し、当該内部圧力が低下しすぎたときに、当該壁面吸着装置１又は他の壁面吸着装置１の壁面２に対する吸着力を増加させるように構成することができる。前記検知手段は、複数の壁面吸着装置１の全部に設けてもよいし、一部のみに設けてもよい。
【００３３】
このような凹部空間３の内部圧力に代えて、壁面２の凹凸部若しくは段差部を検知する場合には、壁面２の凹凸部若しくは段差部が大きいほど凹部空間３の内部圧力が低下しやすいと考えられるので、壁面２の凹凸部若しくは段差部が大きいほど、壁面吸着装置１の吸着力を増加させるように構成することができる。また、この場合、前記検知手段は、壁面吸着装置１の移動方向のできるだけ前方に設けることが好ましく、このような配置により、前記検知手段の後方に位置する凹部空間３の内部圧力の低下を予め予測し、早期のタイミングで当該凹部空間３の内部圧力を増加させることが可能となる。例えば、単一の壁面吸着装置１で構成される壁面移動装置６の場合では、スカート８（好ましくはスカート８の外周縁部）に前記検知手段を配置（好ましくはスカート８の下部に全周に亘って連続的又は間欠的に配置）することが好ましい。また、複数の壁面吸着装置１を列をなすように連結して構成した壁面移動装置の場合では、壁面移動装置の移動方向前端（例えば、最前部の壁面吸着装置１のスカート８における前方部分）に前記検知手段を配置（好ましくはスカート８の下部に配置）することが好ましい。また、複数の壁面吸着装置１を環状をなすように連結して構成した壁面移動装置の場合では、壁面移動装置の外周縁部（例えば、各壁面吸着装置１のスカート８における、壁面移動装置の外周縁部に位置する部分、又は、前述したようにスカート８を環状に連結した場合におけるその連結したスカートの外周縁部分及び／又は内周縁部分）に前記検知手段を配置（好ましくはスカート８の下部に配置）することが好ましい。
【００３４】
単一の壁面吸着装置１で構成した壁面移動装置６、又は複数の壁面吸着装置１で構成した壁面移動装置によれば、例えば、ビルの窓部分を含む壁面、ダムの堤体の壁面、航空機の機体外面など、様々な材質、構造、曲率及び／又は傾斜の、平坦でない壁面２上を、安定して容易に移動することができる。また、検査用センサ・ツール及び／又は清掃用ツールなどを適宜搭載することで、様々な壁面の検査（画像等のデータの取得、診断、要修理箇所へのマーキングなど）及び／又は清掃などを容易に実現することができる。
【００３５】
以上、本発明の一実施形態について説明したが、前述したところは本発明の実施形態の一例を示したにすぎず、発明の要旨を逸脱しない限り、種々の変更を加えてよいことは言うまでもない。
【符号の説明】
【００３６】
１    壁面吸着装置
２    壁面
３    凹部空間
４    隔壁
４ａ  天壁
４ｂ  周壁
４ｃ  排気口
５    吸引部
６    壁面移動装置
７    走行手段
８    スカート
９    ブラシ
１０  摩擦調整部材
１１  オムニホイール
Ｇ    隙間
Ｏ    中心軸線
Ｘ    駆動軸線
【図１】
2018131165.tif 000003
【図２】
2018131165.tif 000004
【図３】
2018131165.tif 000005
【図４】
2018131165.tif 000006
【図５】
2018131165.tif 000007